(57)【要約】【課題】本発明は、歩行型車軸耕耘作業機において、耕耘爪で作業者が足などを傷つけることを効果的に防ぐことを課題とする。【解決手段】車体フレ−ム１の下部に軸支する車軸６に耕耘装置５を装着し、機体から後方に伸ばしたハンドルフレ−ム１４，１４’のグリップ２７，２７’を持って操縦操作をする歩行型車軸耕耘作業機において、耕耘装置５の外周を囲むガード２８を設けた歩行型車軸耕耘作業機とする。【選択図】図２
2020089303.tif 000002
【特許請求の範囲】
【請求項１】
車体フレ−ム（１）の下部に軸支する車軸（６）に耕耘装置（５）を装着し、機体から後方に伸ばしたハンドルフレ−ム（１４，１４’）のグリップ（２７，２７’）を持って操縦操作をする歩行型車軸耕耘作業機において、前記耕耘装置（５）の外周を囲むガード（２８）を設けたことを特徴とする歩行型車軸耕耘作業機。
【請求項２】
ループ状に弯曲した左右の囲い杆（２９Ｒ，２９Ｌ）と左右の取付ブロック（３０Ｒ，３０Ｌ）で前記ガード（２８）を形成し、機体後部に設ける作業機取付用ヒッチ（１７）に前記左右の取付ブロック（３０Ｒ，３０Ｌ）を取り付けることを特徴とする請求項１に記載の歩行型車軸耕耘作業機。  
【請求項３】
前記左右の取付ブロック（３０Ｒ，３０Ｌ）を連結具（３１）で一体的に連結したことを特徴とする請求項２に記載の歩行型車軸耕耘作業機。  
【発明の詳細な説明】
【技術分野】
【０００１】
本発明は、作業者が歩行しながら耕耘作業を行う歩行型車軸耕耘作業機に関する。
【背景技術】
【０００２】
歩行型車軸耕耘作業機は、例えば、特許文献１に記載の如く、左右車輪を取り付ける車軸に耕耘爪を取り付けて機体の後方に伸ばした左右ハンドル杆を作業者が持って歩きながら操縦操作する農作業機である。
【先行技術文献】
【特許文献】
【０００３】
【特許文献１】特開２００３−２７４７０２号公報
【発明の概要】
【発明が解決しようとする課題】
【０００４】
前記の歩行型車軸耕耘作業機は、車軸に取り付けた耕耘爪が回転して圃場を耕しながら作業者が機体後方を歩行するので、圃場が固かったり作物の茎が横たわっていたりすると、機体が左右に振られて直進走行が困難になり、回転している耕耘爪が作業者に当たって危険になることがある。
【０００５】
本発明は、歩行型車軸耕耘作業機において、耕耘爪で作業者が足を傷つけることを効果的に防ぐことを課題とする。
【課題を解決するための手段】
【０００６】
上記本発明の課題は、次の技術手段により解決される。
【０００７】
請求項１の発明は、車体フレ−ム１の下部に軸支する車軸６に耕耘装置５を装着し、機体から後方に伸ばしたハンドルフレ−ム１４，１４’のグリップ２７，２７’を持って操縦操作をする歩行型車軸耕耘作業機において、耕耘装置５の外周を囲むガード２８を設けたことを特徴とする歩行型車軸耕耘作業機とする。
【０００８】
請求項２の発明は、ループ状に弯曲した左右の囲い杆２９Ｒ，２９Ｌと左右の取付ブロック３０Ｒ，３０Ｌでガード２８を形成し、機体後部に設ける作業機取付用ヒッチ１７に左右の取付ブロック３０Ｒ，３０Ｌを取り付けることを特徴とする請求項１に記載の歩行型車軸耕耘作業機とする。
【０００９】
請求項３の発明は、左右の取付ブロック３０Ｒ，３０Ｌを連結具３１で一体的に連結したことを特徴とする請求項２に記載の歩行型車軸耕耘作業機とする。
【発明の効果】
【００１０】
請求項１の発明で、機体の走行が不安定になって耕耘装置５が作業者の足に近づいてもガード２８が作業者の脚に当たって直接耕耘爪が作業者の足を傷つけることが無いので、安全である。
【００１１】
請求項２の発明で、請求項１の効果に加えて、囲い杆２９Ｒ，２９Ｌと取付ブロック３０Ｒ，３０Ｌで構成したガード２８が軽量に構成できるため、歩行型車軸耕耘作業機の重量をあまり増加することなく、機体後部の作業機取付用ヒッチ（１７）に取付ブロック３０Ｒ，３０Ｌを取り付けので、構成が簡略化出来る。
【００１２】
請求項３の発明で、請求項２の効果に加えて、左右の取付ブロック３０Ｒ，３０Ｌを連結具３１で一体に組み付けることで、左右の囲い杆２９Ｒ，２９Ｌを含めてガード２８全体も強固になり、安全である。
【図面の簡単な説明】
【００１３】
【図１】歩行型車軸耕耘作業機の左側面図である。
【図２】歩行型車軸耕耘作業機の平面図である。
【図３】車軸に車輪を取り付けた平面図である。
【図４】車軸に車輪を取り付けた平面図である。
【図５】車軸に耕耘装置を取り付けた背面図である。
【図６】一部の側面図である。
【図７】ハンドルフレ−ムの平面図である。
【図８】ガードの取付分解斜視図である。
【図９】ハンドルフレームの平面図である。
【図１０】歩行型車軸耕耘作業機の平面図である。
【発明を実施するための形態】
【００１４】
以下、本発明の実施の形態を図面に基づいて、歩行型車軸耕耘作業機の機体の基本構成について具体的に説明する。
【００１５】
まず、車体フレ−ム１は、図１に示すように、前部にエンジン２を搭載し、その後方に伝動ミッション装置３を配置して設け、これら両装置２、３を伝動装置４によって伝動可能に連結して構成している。そして、上記伝動装置４には、図示は省略したがテンションクラッチ装置が設けられ、後述する左ハンドルフレ−ム１４’のグリップ２７近傍に設けたクラッチレバ−２２によって入・切操作可能に構成している。前記伝動装置４は、エンジン２の出力軸に固定の出力プーリ２aと前記伝動ミッション装置３の入力プーリ３aとの間に架け渡しているベルトから構成している。
【００１６】
そして、伝動ケ−ス７は、図面に示すように、下部の左右両側に車軸６を突出させて設け、上部を前記伝動ミッション装置３に連結して一体構成とし下部の車軸６側を下方に延長して構成している。そして、上記車軸６は、車輪１８を最小トレッドの位置（図３参照）、又は最大トレッドの位置（図４参照）に取り付けてトレッド調節ができる構成としている。更に、上記車軸６は、図５に示すように、延長パイプ２３を連結してこれを耕耘軸として複数の爪５ａから構成した耕耘装置５を着脱自由に取り付けできる構成としている。
【００１７】
つぎに、フェンダ−１９について説明する。まず、フェンダ−１９は、図３、乃至図５に示すように、メインフェンダ−１９ａとサブフェンダ−１９ｂとの２枚構成とし、メインフェンダ−１９ａは、車輪１８を、図３に示すように、最小トレッドの位置にして横幅（車幅）を狭くしたときに合わせて取り付けた構成としている。そして、サブフェンダ−１９ｂは、図６で解るように、上記メインフェンダ−１９ａの下側に締付ネジ２４によって幅調節をして着脱自由に取り付けできる構成とし、図４、及び図５に示すように、上記メインフェンダ−１９ａの横幅では対応できない範囲まで幅を拡大して、車輪１８の最大トレッド位置（図４参照）、及び耕耘装置５（図５参照）を装着したときに泥除け作用ができる位置まで拡げて取り付けできる構成としている。
【００１８】
さらに、耕耘装置５の左右と後側を囲うようにガード２８を設けて作業者の足が耕耘装置５に巻き込まれるのを防ぐように構成している。ガード２８は、図５に示す如く、取付ブロック３０Ｒ，３０Ｌに耕耘装置５の最も外側に位置する爪５ａを囲むように弯曲した囲い杆２９Ｒ，２９Ｌを取り付けた構成で、図８の如く、取付ブロック３０Ｒ，３０Ｌをリヤヒッチ９の下部に当接させて、取付ブロック３０Ｒ，３０Ｌの取付穴３０Ｒａ，３０Ｌａをリヤヒッチ９の下側の上下方向に開いている左右の取付穴９ａ，９ａに合わせてボルトとナットで取り付け、左右の取付ブロック３０Ｒ，３０Ｌをそれぞれの前後方向に開いている取付穴３０Ｒｂ，３０Ｌｂと連結具３１の取付穴３１ａ，３１ｂを合わせてボルトとナットで一体的に連結している。
【００１９】
なお、車軸６に車輪１８を取り付ける場合は、ガード２８を取り外しておく。また、左右のガード２８に上部を覆うカバー３２Ｌ、３２Ｒを取り付けると、石などが飛散するのを防止できる。前記カバー３２Ｌ、３２Ｒを取り付けた状態の平面図を図１０に示している。また、前記カバー３２Ｌ、３２Ｒを透明部材で構成すると、耕耘状態を確認出来て良い。
【００２０】
また、エンジン２の前方にフロントヒッチを加えて設ける場合は、囲い杆２９Ｒ，２９Ｌの前側をフロントヒッチに取り付けると強固になる。
【００２１】
次に、前記リヤヒッチ９の取り付けについて説明する。
【００２２】
まず、リヤヒッチ９は、図１、及び図２に示すように、伝動ケ−ス７の上部において、伝動ミッション装置３の後ろ側に設けている。実施例の場合、リヤヒッチ９は、その横断面を変形のコ字型に形成して、開放側を後方に向けて取り付けて構成している。
【００２３】
また、取付部１２は、図面に示すように、前側に配置した燃料タンク１０とフ−ド１１との後部をねじ締めによって取り付ける構成としている。
【００２４】
そして、取付部１２の左側方位置において、基部を下側の伝動ミッション装置３に内装した変速機構に連結している変速レバ−２５を構成している。そして、チエンジガイド１３、１３’は、上記変速レバ−２５を図２に示すように、前後左右に案内できる構成としている。
【００２５】
そして、変速レバ−２５は、実施例の場合、路上走行する高速と、作業速度（高速、低速）とに変速できる構成としている。
【００２６】
ハンドルア−ム１４、１４’を取り付ける取付軸１５、１５’は、取付部１２から後方上位に向かって設けられているハンドル支持アーム１４aの後部の両側に外側から嵌合できるように突出状態に設け、これにハンドルア−ム１４、１４’の基部に形成した嵌合部２６、２６’を嵌め込んで取り付ける構成としている。そして、ハンドルア−ム１４、１４’は、上記取付軸１５、１５’を支点に嵌合部２６、２６’を回動してハンドル高さの調節ができる構成としている。
【００２７】
そして、作業機取付用ヒッチ１７は、図１に示すように、リヤヒッチ９に対して上下方向のピンよって取り付け、抵抗棒１６を取り付けできる構成としている。そして、左右一対のハンドルア−ム１４、１４’は、図７に示すように、その中間部に架け渡した連結杆２０によって左右を一体に連結して構成している。図９には左右一対のハンドルアーム１４、１４’の別構成を示している左ハンドルア−ム１４’と連結杆２０を上方に膨らんだ金属製のプレートバンド３５で連結し、その金属製のプレートバンド３５の上面に停止ボタン２１を設け、実施例の場合、機体前方と後方側から押圧操作ができる構成としている。したがって、停止ボタン２１は、作業機８がバック走行時に危険な体勢になった作業者が手で押圧したり機体前方の作業者が手で押圧したりすることによってエンジン２を停止することができる。従って、機体の前後で耕耘装置５に巻き込まれるのを防ぐことが出来る。左ハンドルア−ム１４’の停止ボタン２１近くには、注意喚起の警告ラベル３３，３４を張り付けている。
【００２８】
なお、図示を省略するが、右ハンドルア−ム１４には高さ調節用のハンドルレバーを設けている。
【００２９】
以上述べたように、本案実施例に係る歩行型車軸耕耘作業機８は、伝動ケ−スの後部に設けたリヤヒッチ９を利用して、上部前側に燃料タンク１０やフ−ド１１を、後ろ側には伝動ミッション装置３の変速機構に連結した変速レバ−２５のガイド１３、１３’を取り付けている。
【符号の説明】
【００３０】
１  車体フレ−ム
５  耕耘装置
６  車軸
１４  ハンドルフレ−ム
１７  作業機取付用ヒッチ
２７  グリップ
２８  ガード
２９Ｒ，２９Ｌ  囲い杆
３０Ｒ，３０Ｌ  取付ブロック
３１  連結具
【図１】
2020089303.tif 000003
【図２】
2020089303.tif 000004
【図３】
2020089303.tif 000005
【図４】
2020089303.tif 000006
【図５】
2020089303.tif 000007
【図６】
2020089303.tif 000008
【図７】
2020089303.tif 000009
【図８】
2020089303.tif 000010
【図９】
2020089303.tif 000011
【図１０】
2020089303.tif 000012